(57)【特許請求の範囲】
【請求項１】
１つ又は複数のランプと、点灯状態信号に基づいてランプの点灯を制御する１つ又は複数の負荷制御部と、所定の点灯状態の制御指令または設定情報に基づいて前記点灯状態信号を送出する１つ又は複数の点灯制御部を備え、この点灯制御部に無線信号の送信部または受信部を備えて、点灯状態の制御指令又は現在の点灯状態又は前記所定の設定情報を伝達可能とした照明器具と、無線信号の送信部または受信部を備えて点灯状態の制御指令又は前記所定の設定情報を点灯制御部に送信できる複数のコントローラと、周囲の環境情報を取得し、これに基づいて点灯制御を行うセンサとから構成され、複数のコントローラと少なくとも１つの親機が有線または無線の伝送系で接続されており、親機からの指令に基づいてコントローラが点灯制御部への伝達信号を決めるようにし、無線信号の送信時に少なくとも送信元の識別符号をあわせて送信することを特徴とする照明システム。
【請求項２】
１つ又は複数のランプと、点灯状態信号に基づいてランプの点灯を制御する１つ又は複数の負荷制御部と、所定の点灯状態の制御指令または設定情報に基づいて前記点灯状態信号を送出する１つ又は複数の点灯制御部を備え、この点灯制御部に無線信号の送信部または受信部を備えて、点灯状態の制御指令又は現在の点灯状態又は前記所定の設定情報を伝達可能とした照明器具と、無線信号の送信部または受信部を備えて点灯状態の制御指令又は前記所定の設定情報を点灯制御部に送信できる複数のコントローラと、周囲の環境情報を取得し、これに基づいて点灯制御を行うセンサとから構成され、複数のコントローラと少なくとも１つの親機が有線または無線の伝送系で接続されており、親機からの指令に基づいてコントローラが点灯制御部への伝達信号を決めるようにし、無線信号の送信時に少なくとも相手先の識別符号をあわせて送信することを特徴とする照明システム。
【請求項３】
１つ又は複数のランプと、点灯状態信号に基づいてランプの点灯を制御する１つ又は複数の負荷制御部と、所定の点灯状態の制御指令または設定情報に基づいて前記点灯状態信号を送出する１つ又は複数の点灯制御部を備え、この点灯制御部に無線信号の送信部または受信部を備えて、点灯状態の制御指令又は現在の点灯状態又は前記所定の設定情報を伝達可能とした照明器具と、無線信号の送信部または受信部を備えて点灯状態の制御指令又は前記所定の設定情報を点灯制御部に送信できる複数のコントローラと、周囲の環境情報を取得し、これに基づいて点灯制御を行うセンサとから構成され、複数のコントローラと少なくとも１つの親機が有線または無線の伝送系で接続されており、親機からの指令に基づいてコントローラが点灯制御部への伝達信号を決めるようにし、無線信号の送信時に少なくとも送信元の識別符号と相手先の識別符号をあわせて送信することを特徴とする照明システム。
【発明の詳細な説明】
【０００１】
【発明の属する技術分野】
本発明はＲＦ信号を利用した無線式の照明システムに関するものである。
【０００２】
【従来の技術】
図１０３に従来例１の構成を示す。この例は照明器具１に赤外線リモコン受信部１３ａを有し、操作部５２と赤外線リモコン送信部５１ａを有するコントローラ５との組み合わせで照明器具１を点灯制御するいわゆるリモコン照明器具である。このような方式の器具は特別な配線をすることなく照明を制御でき、操作も好きな場所で行えるため非常に便利なものである。
【０００３】
また別の従来例を図１０４に示す。これは人感センサ５３にて自動点灯する照明器具であり、そのセンサ部を照明器具１から分離し、センサが検知した情報を赤外線にて送信するものである。分離している理由は人の検知領域と照明点灯領域を変えたい場合などでも有効に利用したいためである。したがって使用者がセンサ５３、送信部５１ａを含むコントローラ５を自由な位置に設置でき、好ましい位置にて点灯させることができる。
【０００４】
【発明が解決しようとする課題】
しかしながら両方の従来例とも赤外線での通信であり、同一空間で見通しの良い位置でしか制御が難しいという欠点があり、制御する空間が入り組んでいたり、照明器具とセンサ部（リモコン送信部を含む）の設置位置が赤外線のビーム角から外れるようなときには送信が不確実になる恐れが多分にあった。これらを改善しようとすると赤外線送信パワーを増加したり、ビーム角を広げる必要があり、消費電力の増加、赤外線ＬＥＤの個数増加によるコストアップという欠点を有していた。
【０００５】
本発明はこれらの課題を解決し、一つの空間だけでなく他の空間も含めて確実に制御できる電波（ＲＦ信号）による無線式の照明システムを提供することを目的とする。
【０００６】
【課題を解決するための手段】
本発明の照明システムによれば、１つ又は複数のランプと、点灯状態信号に基づいてランプの点灯を制御する１つ又は複数の負荷制御部と、所定の点灯状態の制御指令または設定情報に基づいて前記点灯状態信号を送出する１つ又は複数の点灯制御部を備え、この点灯制御部に無線信号の送信部または受信部を備えて、点灯状態の制御指令又は現在の点灯状態又は前記所定の設定情報を伝達可能とした照明器具と、無線信号の送信部または受信部を備えて点灯状態の制御指令又は前記所定の設定情報を点灯制御部に送信できる複数のコントローラと、周囲の環境情報を取得し、これに基づいて点灯制御を行うセンサとから構成され、複数のコントローラと少なくとも１つの親機が有線または無線の伝送系で接続されており、親機からの指令に基づいてコントローラが点灯制御部への伝達信号を決めるようにし、無線信号の送信時に送信元の識別符号および／または相手先の識別符号をあわせて送信することを特徴とするものである。
【０００７】
【発明の実施の形態】
図１に実施形態１を示す。図１の照明システムは１台の照明器具１と１台のコントローラ５によって構成される。照明器具１はＲＦ受信部１３で受信したＲＦ信号に基づき点灯状態を決定する点灯制御部１２とこの決定した点灯状態に基づきランプ１０を制御する負荷制御部１１を有する。コントローラ５は操作部５２とＲＦ送信部５１を備え、ユーザの操作内容に基づくＲＦ信号を送信する。コントローラ５には固有のＩＤ番号（ＩＤＴ１）が設定されており、このＩＤ番号と操作内容のデータがＲＦ信号として送信される。例えば、操作部５２によって、ランプ１０を点灯させる操作が行われた場合は、ＲＦ信号として、送信側のＩＤ（＝ＩＤＴ１）とランプ点灯を表すデータが送信される。照明器具１はこのランプ点灯のデータを受信すると、ランプ１０が点灯状態になるように負荷制御を行う。また点灯を表すデータではなく、特定の操作があったという情報を送信するものとし、ＲＦ信号を受信した器具１がこの特定の操作の情報に基づいて、ランプ１０を点灯させるという形でもよい。
【０００８】
この時、送信側ＩＤは一つ一つのコントローラ５に固有の値として設定されており、同様のシステムが近傍（電波の届く範囲）に複数存在している場合であっても、個別のＩＤ番号の判別により、ＲＦ信号を送信したコントローラ５の特定が可能となる。照明器具１はＲＦ信号の中に含まれる送信ＩＤ番号を識別することにより、同一システム内の（対となっている）コントローラ５のＲＦ信号であるかを判断し、対であるコントローラ５からの信号である場合に、受信したデータに基づいて点灯状態を決定するようにする。このように、送信元のＩＤをＲＦ信号に含めることにより、いくつかのシステムが近傍に混在していても誤動作なく点灯制御が可能である。
【０００９】
図２に実施形態２を示す。図２の照明システムは１台の照明器具１と１台のコントローラ５によって構成される。照明器具１はＲＦ受信部１３で受信したＲＦ信号に基づき点灯状態を決定する点灯制御部１２とこの決定した点灯状態に基づきランプ１０を制御する負荷制御部１１を有する。コントローラ５は操作部５２とＲＦ送信部５１を備え、ユーザの操作内容に基づくＲＦ信号を送信する。照明器具１には固有のＩＤ番号（ＩＤＲ１）が設定されており、このＩＤ番号と操作内容のデータがＲＦ信号として送信される。照明器具１は受信した信号に含まれる受信元ＩＤの値がその器具自体に設定されているＩＤ番号と一致した場合に、データに基づいた点灯制御を行うものである。このように、受信元（相手先）のＩＤをＲＦ信号に含めることにより、いくつかのシステムが近傍に混在していても誤動作なく点灯制御が可能である。また、コントローラを変えても器具のＩＤ設定を変更する必要が無く、コントローラ側で設定すれば良い。したがって、器具が設定困難な部位に設置されている場合などにも対応しやすい。
【００１０】
図３に実施形態３を示す。図３の照明システムは１台の照明器具１と１台のコントローラ５によって構成される。照明器具１はＲＦ受信部１３で受信したＲＦ信号に基づき点灯状態を決定する点灯制御部１２とこの決定した点灯状態に基づきランプ１０を制御する負荷制御部１１を有する。コントローラ５は操作部５２とＲＦ送信部５１を備え、ユーザの操作内容に基づくＲＦ信号を送信する。コントローラ５、照明器具１のそれぞれに固有のＩＤ番号（ＩＤＴ１、ＩＤＲ１）が設定されており、これらのＩＤ番号と操作内容のデータがＲＦ信号として送信される。照明器具１は受信した信号に含まれる受信元ＩＤの値がその器具自体に設定されているＩＤ番号と一致した場合に、データに基づいた点灯制御を行うものである。またさらに、この時、実施形態１と同様に送信元ＩＤの値を識別することで、同一システム内の対であるコントローラから送信された信号であることを確認でき、より確実に誤動作なく点灯制御動作を行うことができる。
【００１１】
ＩＤ番号の設定は送信元ＩＤのみで識別する場合（実施形態１）に用いるビット数に対して、送信元ＩＤ、受信元ＩＤ（相手先ＩＤ）のそれぞれに半分ずつのビット数を割り当てれば、同等の組合せ数となり、また、同じだけのビット数を割り当てれば、組合せ数はより多くなるので、同様のシステムのＩＤ番号が一致してしまった場合の誤動作等の可能性は低減する。
【００１２】
このように、送信元ＩＤと受信元ＩＤ（相手先ＩＤ）をＲＦ信号に含めておくことにより、いくつかのシステムが近傍に混在していても誤動作なく点灯制御が可能である。また、送信元ＩＤのみを用いる実施形態１や受信元ＩＤ（相手先ＩＤ）のみを用いる実施形態２に比べると、より確実なデータ通信が可能となる。
【００１３】
図４に実施形態４を示す。以下の実施形態は１つのコントローラで複数台の照明を制御する例である。図４の照明システムは複数台の照明器具１、２、…、４と１台のコントローラ５によって構成される。第１の照明器具１はＲＦ受信部１３で受信したＲＦ信号に基づき点灯状態を決定する点灯制御部１２とこの決定した点灯状態に基づきランプ１０を制御する負荷制御部１１を有する。第２の照明器具２はＲＦ受信部２３で受信したＲＦ信号に基づき点灯状態を決定する点灯制御部２２とこの決定した点灯状態に基づきランプ２０を制御する負荷制御部２１を有する。同様にｎ番目の照明器具４はＲＦ受信部４３で受信したＲＦ信号に基づき点灯状態を決定する点灯制御部４２とこの決定した点灯状態に基づきランプ４０を制御する負荷制御部４１を有する。ここでは、ｎ＝４としたが、照明器具の台数ｎはこれに限定されるものではない。
【００１４】
コントローラ５は操作部５２とＲＦ送信部５１を備え、ユーザの操作内容に基づくＲＦ信号を送信する。コントローラ５には固有のＩＤ番号（ＩＤＴ１）が設定されており、このＩＤ番号と操作内容のデータがＲＦ信号として送信される。例えば、操作部５２によって、ランプ１０、２０、…、４０を点灯させる操作が行われた場合は、ＲＦ信号として、送信側のＩＤ（＝ＩＤＴ１）とランプ点灯を表すデータが送信される。照明器具１、２、…、４はこのランプ点灯のデータを受信すると、ランプ１０、２０、…、４０が点灯状態になるように負荷制御を行う。
【００１５】
この時、送信側ＩＤは一つ一つのコントローラに固有の値として設定されており、同様のシステムが複数存在している場合であっても、個別のＩＤ番号の判別により、ＲＦ信号を送信したコントローラの特定が可能となる。照明器具はＲＦ信号の中に含まれる送信ＩＤ番号を識別することにより、同一システム内の（対となっている）コントローラのＲＦ信号であるかを判断し、対であるコントローラからの信号である場合に、受信したデータに基づいて点灯状態を決定するようにする。
【００１６】
また複数の照明器具が同等の動作を行う場合は、送信元ＩＤの一致のみで動作するようにしてもよいし、照明器具毎に異なる動作をさせたい場合は、ＲＦ信号のデータ部分にどの器具に対する信号であるかの情報を入れて、ＲＦ信号を受信した器具がこれに基づいて点灯制御するようにしてもよい。例えば、複数の照明器具によって構成されたシステムのうち、いくつか毎のグループ分けによってグループ毎の動作を行う場合は、そのグループ数の分だけ、識別できるようなグループ番号をＲＦ信号のデータ部分に入れるようにする。実施形態１と同様に同じシステム内のコントローラからの信号であることは送信元ＩＤによって識別できるので、他のシステムのコントローラから同様の信号で、グループ番号が一致するものを受信した場合でも、誤動作を起こすことはない。このように、本実施形態によれば、複数のシステムが近傍に混在していても誤動作なく点灯制御が可能である。また、一台のコントローラで方向・場所によらず複数の照明器具の点灯制御が可能である。
【００１７】
図５に実施形態５を示す。図５の照明システムは複数台の照明器具１、２、…、４と１台のコントローラ５によって構成される。第１の照明器具１はＲＦ受信部１３で受信したＲＦ信号に基づき点灯状態を決定する点灯制御部１２とこの決定した点灯状態に基づきランプ１０を制御する負荷制御部１１を有する。第２の照明器具２はＲＦ受信部２３で受信したＲＦ信号に基づき点灯状態を決定する点灯制御部２２とこの決定した点灯状態に基づきランプ２０を制御する負荷制御部２１を有する。同様にｎ番目の照明器具４はＲＦ受信部４３で受信したＲＦ信号に基づき点灯状態を決定する点灯制御部４２とこの決定した点灯状態に基づきランプ４０を制御する負荷制御部４１を有する。照明器具１、２、…、４には固有のＩＤ番号（ＩＤＲ１、ＩＤＲ２、…、ＩＤＲｎ）が設定されており、このＩＤ番号を付与して操作内容のデータがコントローラ５からＲＦ信号として送信される。ここでは、ｎ＝４としたが、照明器具の台数ｎはこれに限定されるものではない。コントローラ５は操作部５２とＲＦ送信部５１を備え、ユーザの操作内容に基づくＲＦ信号を送信する。コントローラ５からは、動作させたい照明器具毎にＲＦ信号を送信する。照明器具１、２、…、４は受信した信号に含まれる受信元ＩＤ（相手先ＩＤ）の値がその器具自体に設定されているＩＤ番号と一致した場合に、データに基づいた点灯制御を行うものである。本実施形態によれば、複数のシステムが近傍に混在していても誤動作なく点灯制御が可能である。また、一台のコントローラで方向・場所によらず複数の照明器具の点灯制御が可能である。さらに、コントローラの置き換え時に照明器具のＩＤ設定を変更する必要が無く、コントローラ側で設定すれば良い。したがって、照明器具が設定困難な部位に設置されている場合などにも対応しやすい。
【００１８】
図６には第６の実施形態を示す。図６の照明システムは複数台の照明器具１、２、…、４と１台のコントローラ５によって構成される。第１の照明器具１はＲＦ受信部１３で受信したＲＦ信号に基づき点灯状態を決定する点灯制御部１２とこの決定した点灯状態に基づきランプ１０を制御する負荷制御部１１を有する。第２の照明器具２はＲＦ受信部２３で受信したＲＦ信号に基づき点灯状態を決定する点灯制御部２２とこの決定した点灯状態に基づきランプ２０を制御する負荷制御部２１を有する。同様にｎ番目の照明器具４はＲＦ受信部４３で受信したＲＦ信号に基づき点灯状態を決定する点灯制御部４２とこの決定した点灯状態に基づきランプ４０を制御する負荷制御部４１を有する。照明器具１、２、…、４には固有のＩＤ番号（ＩＤＲ１、ＩＤＲ２、…、ＩＤＲｎ）が設定されており、このＩＤ番号を付与して操作内容のデータがコントローラ５からＲＦ信号として送信される。ここでは、ｎ＝４としたが、照明器具の台数ｎはこれに限定されるものではない。コントローラ５は操作部５２とＲＦ送信部５１を備え、ユーザの操作内容に基づくＲＦ信号を送信する。コントローラ５には固有のＩＤ番号（ＩＤＴ１）が設定されており、このコントローラ５のＩＤ番号と、照明器具１、２、…、４のＩＤ番号（ＩＤＲ１、ＩＤＲ２、…、ＩＤＲｎ）のいずれかと、操作内容のデータがＲＦ信号として送信される。照明器具１、２、…、４は受信した信号に含まれる受信元ＩＤの値がその器具自体に設定されているＩＤ番号と一致した場合に、データに基づいた点灯制御を行うものである。またさらに、この時、実施形態１または４と同様に送信元ＩＤの値を識別することで、同一システム内の対であるコントローラから送信された信号であることを確認でき、より確実に誤動作なく点灯制御動作を行うことができる。コントローラ５からは、動作させたい照明器具毎にＲＦ信号を送信する。
【００１９】
このように、送信元ＩＤと受信元ＩＤ（相手先ＩＤ）をＲＦ信号に含めておくことにより、いくつかのシステムが近傍に混在していても誤動作なく点灯制御が可能である。また、送信元ＩＤのみを用いる実施形態１や受信元ＩＤ（相手先ＩＤ）のみを用いる実施形態２あるいは５に比べると、より確実なデータ通信が可能となる。さらに、一台のコントローラで方向・場所によらず複数の照明器具の点灯制御が可能である。
【００２０】
図７に実施形態７を示す。以下の実施形態は複数のコントローラで１台の照明を制御する例である。図７の照明システムは１台の照明器具１と複数台のコントローラ５、６、…、８によって構成される。照明器具１はＲＦ受信部１３で受信したＲＦ信号に基づき点灯状態を決定する点灯制御部１２とこの決定した点灯状態に基づきランプ１０を制御する負荷制御部１１を有する。第１のコントローラ５は操作部５２とＲＦ送信部５１を備え、ユーザの操作内容に基づくＲＦ信号を送信する。第２のコントローラ６は操作部６２とＲＦ送信部６１を備え、ユーザの操作内容に基づくＲＦ信号を送信する。第ｎのコントローラ８は操作部８２とＲＦ送信部８１を備え、ユーザの操作内容に基づくＲＦ信号を送信する。コントローラ５、６、…、８には固有のＩＤ番号（ＩＤＴ１、ＩＤＴ２、…、ＩＤＴｎ）が設定されており、このＩＤ番号と操作内容のデータがＲＦ信号として送信される。例えば、コントローラ６の操作部６２によって、ランプ１０を点灯させる操作が行われた場合は、ＲＦ信号として、送信側のＩＤ（＝ＩＤＴ２）とランプ点灯を表すデータが送信される。照明器具１はこのランプ点灯のデータを受信すると、ランプ１０が点灯状態になるように負荷制御を行う。この時、送信側ＩＤはコントローラ一つ一つに固有の値として設定されており、同様のシステムが複数存在している場合であっても、個別のＩＤ番号の判別により、ＲＦ信号を送信したコントローラの特定が可能となる。照明器具はＲＦ信号の中に含まれる送信元ＩＤ番号を識別することにより、同一システム内にあるコントローラ（ここではＩＤ番号がＩＤＴ１〜ＩＤＴｎ）のＲＦ信号であるかを判断し、受信したデータに基づいて点灯状態を決定するようにする。なお、コントローラの台数ｎは限定されるものではない。本実施形態によれば、複数のシステムが近傍に混在していても誤動作なく点灯制御が可能である。また、複数のコントローラで方向・場所によらず１台の照明器具の点灯制御が可能である。
【００２１】
図８に実施形態８を示す。図８の照明システムは１台の照明器具１と複数台のコントローラ５、６、…、８によって構成される。照明器具１はＲＦ受信部１３で受信したＲＦ信号に基づき点灯状態を決定する点灯制御部１２とこの決定した点灯状態に基づきランプ１０を制御する負荷制御部１１を有する。第１のコントローラ５は操作部５２とＲＦ送信部５１を備え、ユーザの操作内容に基づくＲＦ信号を送信する。第２のコントローラ６は操作部６２とＲＦ送信部６１を備え、ユーザの操作内容に基づくＲＦ信号を送信する。第ｎのコントローラ８は操作部８２とＲＦ送信部８１を備え、ユーザの操作内容に基づくＲＦ信号を送信する。コントローラの台数ｎは限定されるものではない。
【００２２】
照明器具１には固有のＩＤ番号（ＩＤＲ１）が設定されており、このＩＤ番号と操作内容のデータがＲＦ信号として送信される。照明器具１は受信した信号に含まれる受信元ＩＤの値がその器具自体に設定されているＩＤ番号と一致した場合に、データに基づいた点灯制御を行うものである。
【００２３】
本実施形態によれば、複数のシステムが近傍に混在していても誤動作なく点灯制御が可能である。また、複数のコントローラで方向・場所によらず１台の照明器具の点灯制御が可能である。さらに、コントローラの置き換え時に照明器具のＩＤ設定を変更する必要が無く、コントローラ側で設定すれば良い。したがって、照明器具が設定困難な部位に設置されている場合などにも対応しやすい。
【００２４】
図９に実施形態９を示す。図９の照明システムは１台の照明器具１と複数台のコントローラ５、６、…、８によって構成される。照明器具１はＲＦ受信部１３で受信したＲＦ信号に基づき点灯状態を決定する点灯制御部１２とこの決定した点灯状態に基づきランプ１０を制御する負荷制御部１１を有する。第１のコントローラ５は操作部５２とＲＦ送信部５１を備え、ユーザの操作内容に基づくＲＦ信号を送信する。第２のコントローラ６は操作部６２とＲＦ送信部６１を備え、ユーザの操作内容に基づくＲＦ信号を送信する。第ｎのコントローラ８は操作部８２とＲＦ送信部８１を備え、ユーザの操作内容に基づくＲＦ信号を送信する。コントローラ５、６、…、８には固有のＩＤ番号（ＩＤＴ１、ＩＤＴ２、…、ＩＤＴｎ）が設定されている。照明器具１には固有のＩＤ番号（ＩＤＲ１）が設定されており、この照明器具１のＩＤ番号とコントローラのＩＤ番号と操作内容のデータがＲＦ信号として送信される。照明器具１は受信した信号に含まれる受信元ＩＤの値がその器具自体に設定されているＩＤ番号と一致した場合に、データに基づいた点灯制御を行うものである。例えば、コントローラ６の操作部６２によって、ランプ１０を点灯させる操作が行われた場合は、ＲＦ信号として、送信元のＩＤ（＝ＩＤＴ２）と受信元のＩＤ（＝ＩＤＲ１）とランプ点灯を表すデータが送信される。照明器具１はこのランプ点灯のデータを受信すると、ランプ１０が点灯状態になるように負荷制御を行う。この時、送信側ＩＤはコントローラ一つ一つに固有の値として設定されており、同様のシステムが複数存在している場合であっても、個別のＩＤ番号の判別により、ＲＦ信号を送信したコントローラの特定が可能となる。照明器具はＲＦ信号の中に含まれる送信元ＩＤ番号を識別することにより、同一システム内にあるコントローラ（ここではＩＤ番号がＩＤＴ１〜ＩＤＴｎ）のＲＦ信号であるかを判断し、受信したデータに基づいて点灯状態を決定するようにする。このように、受信元ＩＤのみならず、送信元ＩＤを識別することで、同一システム内の対であるコントローラから送信された信号であることを確認でき、より確実に誤動作なく点灯制御動作を行うことができる。なお、コントローラの台数ｎは限定されるものではない。
【００２５】
ＩＤ番号の設定は送信元ＩＤのみで識別する場合（実施形態１）に用いるビット数に対して、送信元ＩＤ、受信元ＩＤ（相手先ＩＤ）のそれぞれに半分ずつのビット数を割り当てれば、同等の組合せ数となり、また、同じだけのビット数を割り当てれば、組合せ数はより多くなるので、同様のシステムのＩＤ番号が一致してしまった場合の誤動作等の可能性は低減する。
【００２６】
このように、送信元ＩＤと受信元ＩＤ（相手先ＩＤ）をＲＦ信号に含めておくことにより、いくつかのシステムが近傍に混在していても誤動作なく点灯制御が可能である。また、送信元ＩＤのみを用いる実施形態７や受信元ＩＤ（相手先ＩＤ）のみを用いる実施形態８に比べると、より確実なデータ通信が可能となる。また、複数のコントローラで方向・場所によらず１台の照明器具の点灯制御が可能である。
【００２７】
図１０に実施形態１０を示す。以下の実施形態はここまでに挙げた実施形態の組合せであり、複数のコントローラで複数台の照明を制御する例である。図１０の照明システムは実施形態４と実施形態７の組合せであり、送信元ＩＤで同一システムであることを識別する。例えば、送信元ＩＤで個々のコントローラを識別して１つのコントローラに対して全器具が同じ動作を行うことによりコントローラ毎に異なる動作を行う、あるいは、各器具毎に点灯制御する送信元ＩＤ（複数も可）を設定し、コントローラ毎に点灯制御する器具をグループ分けする、あるいは、実施形態４に示す点灯制御を複数箇所から行えるようにする、などのパターンが挙げられる。本実施形態によれば、複数のシステムが近傍に混在していても誤動作なく点灯制御が可能であり、複数のコントローラで方向・場所によらず複数の器具の点灯制御が可能である。
【００２８】
図１１に実施形態１１を示す。図１１の照明システムは実施形態５と実施形態８の組合せであり、受信元ＩＤで同一システムであることを識別する。例えば、コントローラ毎に送信する受信元ＩＤ（複数も可）を設定して、コントローラ毎に点灯制御する器具をグループ分けする、あるいは、実施形態５に示す点灯制御を複数箇所から行えるようにする、などのパターンが挙げられる。本実施形態によれば、複数のシステムが近傍に混在していても誤動作なく点灯制御が可能であり、複数のコントローラで方向・場所によらず複数の器具の点灯制御が可能である。さらに、コントローラの置き換え時に照明器具のＩＤ設定を変更する必要が無く、コントローラ側で設定すれば良い。したがって、照明器具が設定困難な部位に設置されている場合などにも対応しやすい。
【００２９】
図１２に実施形態１２を示す。図１２の照明システムは実施形態６と実施形態９の組合せであり、送信元ＩＤと受信元ＩＤで確実にデータを送受する。例えば、コントローラ毎に送信する受信元ＩＤ（複数も可）を設定して、コントローラ毎に点灯制御する器具をグループ分けする、あるいは、実施形態６に示す点灯制御を複数箇所から行えるようにする、などのパターンが挙げられる。本実施形態によれば、複数のシステムが近傍に混在していても誤動作なく点灯制御が可能であり、複数のコントローラで方向・場所によらず複数の器具の点灯制御が可能である。また、送信元ＩＤのみを用いる実施形態１０や受信元ＩＤ（相手先ＩＤ）のみを用いる実施形態１１に比べると、より確実なデータ通信が可能となる。
【００３０】
図１３に実施形態１３を示す。以下の実施形態は複数のコントローラと複数の照明器具が親機９を経由して制御する例である。ＲＦ信号のＩＤ番号の識別の仕方は、実施形態１と同様であり、送信元ＩＤでシステムを識別する。実施形態７と同様の形態で親機９にＲＦ信号を送り、親機９から実施形態４と同様の形態で照明器具にＲＦ信号を送信する。
【００３１】
図１４に実施形態１４を示す。ＲＦ信号のＩＤ番号の識別の仕方は、コントローラから親機９へは実施形態２と同様、親機９から照明器具へは実施形態１と同様であり、親機９のＩＤのみでシステムを識別する。実施形態８と同様の形態で親機９にＲＦ信号を送り、親機９から実施形態４と同様の形態で照明器具にＲＦ信号を送信する。
【００３２】
図１５に実施形態１５を示す。ＲＦ信号のＩＤ番号の識別の仕方は、実施形態２と同様であり、受信元ＩＤでシステムを識別する。実施形態８と同様の形態で親機９にＲＦ信号を送り、親機９から実施形態５と同様の形態で照明器具にＲＦ信号を送信する。
【００３３】
図１６に実施形態１６を示す。ＲＦ信号のＩＤ番号の識別の仕方は、実施形態３と同様であり、送信元ＩＤと受信元ＩＤの両方でシステムを識別する。実施形態９と同様の形態で親機９にＲＦ信号を送り、親機９から実施形態６と同様の形態で照明器具にＲＦ信号を送信する。
【００３４】
図１３〜図１６の照明システムにおいて、親機９はシステム制御部とＲＦ送信部とＲＦ受信部とからなり、コントローラからの信号を受信すると、これに対応した照明器具が点灯制御を行うようにＲＦ信号を送信する。親機９の動作としては、コントローラからの操作に対して、点灯動作を行う照明器具や、点灯制御の内容をコントローラ毎、操作内容毎にシステム制御部で設定し、コントローラから受信したＲＦ信号に応じて、照明器具に対してＲＦ信号を送信するものが挙げられる。例えば、コントローラ５からのスイッチ操作に対しては照明器具１を、コントローラ６のスイッチ操作に対しては照明器具２と３を点灯させる、といった設定を親機９で管理する。照明器具一つ一つ、あるいは、コントローラ一つ一つについて、設定作業を行うといった手間を省くことができる。
【００３５】
このように、図１３〜図１６の照明システムでは、親機による一括制御により、動作設定、状態把握が１箇所でできる。また、器具、コントローラのコストの削減により、多数機器のシステムのコストを抑制できる。さらに、親機ＩＤでのみシステムの識別をする場合は、ＩＤ番号の消費が少なく、ｂｉｔ数を減らせるので、通信時間を低減でき、応答性が向上する。
【００３６】
図１７に実施形態１７を示す。以下の実施形態はこれまでの実施形態に人感センサが１つ入った構成である。図１７の照明システムは、１台の照明器具１と１台の人感センサ５３を備えたコントローラ５によって構成される。人感センサ５３は近傍の人体を検出することによってトリガを発生する。コントローラ５は操作部５２とＲＦ送信部５１を備え、ユーザの操作内容に基づくＲＦ信号を送信する。また、人感センサ５３が人体を検知したトリガによってＲＦ信号の送信を行う。コントローラ５には固有のＩＤ番号（ＩＤＴ１）が設定されており、このＩＤ番号と操作内容のデータがＲＦ信号として送信される。例えば、人感センサ５３近傍の人体が検知された場合は、ＲＦ信号として、送信側のＩＤ（＝ＩＤＴ１）とランプ点灯を表すデータを送信する。照明器具１はこのランプ点灯のデータを受信すると、ランプ１０が点灯状態になるように負荷制御を行う。また点灯を表すデータではなく、人体検知があったという情報を送信するものとし、ＲＦ信号を受信した器具１がこの検知情報に基づいて、ランプ１０を点灯させるという形でもよい。この時、送信側ＩＤはコントローラ一つ一つに固有の値として設定されており、同様のシステムが複数存在している場合であっても、個別のＩＤ番号の判別により、ＲＦ信号を送信したコントローラの特定が可能となる。照明器具はＲＦ信号の中に含まれる送信ＩＤ番号を識別することにより、同一システム内の（対となっている）コントローラのＲＦ信号であるかを判断し、対であるコントローラからの信号である場合に、受信したデータに基づいて点灯状態を決定するようにする。
【００３７】
このように、図１７の実施形態は実施形態１に人感センサ５３を組み合せたものである。同様に、図１８に示す実施形態１８は実施形態２に人感センサ５３を組み合せたものである。また、図１９に示す実施形態１９を実施形態３に人感センサ５３を組み合せたものであり、これらの実施形態１７〜１９では、送信データの内容は、人による操作内容のみではなく、人体検知に基づく点灯制御あるいは人体検知の情報が含まれており、人感センサ５３による自動点灯制御を可能としている。また、ＲＦ信号にＩＤ番号が含まれているので、いくつかのシステムが近傍に混在していても誤動作なく点灯制御が可能である。
【００３８】
次に、図２０に示す実施形態２０は実施形態４に人感センサ５３を組み合せたものであり、図２１に示す実施形態２１は実施形態５に人感センサ５３を組み合せたものであり、図２２に示す実施形態２２は実施形態６に人感センサ５３を組み合せたものであり、これらの実施形態２０〜２２では、１つのコントローラ５や人感センサ５３で方向・場所によらず複数の器具１、２、…、４の点灯制御が可能である。また、ＲＦ信号にＩＤ番号が含まれているので、いくつかのシステムが近傍に混在していても誤動作なく点灯制御が可能である。
【００３９】
次に、図２３に示す実施形態２３は実施形態７に人感センサ５３を組み合せたものであり、図２４に示す実施形態２４は実施形態８に人感センサ５３を組み合せたものであり、図２５に示す実施形態２５は実施形態９に人感センサ５３を組み合せたものであり、これらの実施形態２３〜２５では、送信データの内容は人による操作内容のみではなく、人体検知に基づく点灯制御あるいは人体検知の情報を含み、人感センサ５３による自動点灯制御を可能とする。また、例えば、コントローラ５、６、…、８からの操作によっては任意の点灯状態に制御し、人感センサ５３の検知時は所定の点灯状態に固定する制御などを可能とする。このように、複数のコントローラ５、６、…、８や１つの人感センサ５３で方向・場所によらず１台の器具１の点灯制御が可能である。また、ＲＦ信号にＩＤ番号が含まれているので、いくつかのシステムが近傍に混在していても誤動作なく点灯制御が可能である。
【００４０】
次に、図２６に示す実施形態２６は実施形態１０に人感センサ５３を組み合せたものであり、図２７に示す実施形態２７は実施形態１１に人感センサ５３を組み合せたものであり、図２８に示す実施形態２８は実施形態１２に人感センサ５３を組み合せたものであり、これらの実施形態２６〜２８では、送信データの内容は人による操作内容のみではなく、人体検知に基づく点灯制御あるいは人体検知の情報を含み、人感センサ５３による自動点灯制御を可能とする。また、例えば、コントローラ５、６、…、８からの操作によっては任意の点灯状態に制御し、人感センサ５３の検知時は所定の点灯状態に固定する制御などを可能とする。このように、複数のコントローラ５、６、…、８や１つの人感センサ５３で方向・場所によらず１台の器具１の点灯制御が可能である。また、ＲＦ信号にＩＤ番号が含まれているので、いくつかのシステムが近傍に混在していても誤動作なく点灯制御が可能である。このように、複数のコントローラ５、６、…、８や１つの人感センサ５３で方向・場所によらず複数台の器具１、２、…、４の点灯制御が可能である。また、ＲＦ信号にＩＤ番号が含まれているので、いくつかのシステムが近傍に混在していても誤動作なく点灯制御が可能である。
【００４１】
次に、図２９に示す実施形態２９は実施形態１３に人感センサ５３を組み合せたものであり、図３０に示す実施形態３０は実施形態１４に人感センサ５３を組み合せたものであり、図３１に示す実施形態３１は実施形態１５に人感センサ５３を組み合せたものであり、図３２に示す実施形態３２は実施形態１６に人感センサ５３を組み合せたものであり、これらの実施形態２９〜３２では、コントローラから親機にＲＦ信号を送り、親機から照明器具にＲＦ信号を送信する。親機９はコントローラからＲＦ信号を受信すると、これに対応した照明器具が点灯制御を行うようにＲＦ信号を送信する。親機９の動作としては、コントローラからの操作、あるいは、人感センサ５３による人体の検知に対して、点灯動作を行う照明器具や、点灯制御の内容をコントローラ毎、操作内容毎にシステム制御部で設定し、コントローラから受信したＲＦ信号に応じて、照明器具に対してＲＦ信号を送信するものが挙げられる。例えば、コントローラ５の人感センサ５３の人体検知に対しては照明器具１を、コントローラ６のスイッチ操作に対しては照明器具２と３を点灯させる、といった設定を親機９で管理する。照明器具一つ一つ、あるいは、コントローラ一つ一つについて、設定作業を行うといった手間を省くことができる。
【００４２】
このように、実施形態２９〜３２では、親機による一括制御により、動作設定、状態把握が１箇所でできる。また、器具、コントローラのコストの削減により、多数機器のシステムのコストを抑制できる。さらに、親機ＩＤでのみシステムの識別をする場合は、ＩＤ番号の消費が少なく、ｂｉｔ数を減らせるので、通信時間を低減でき、応答性が向上する。
【００４３】
図３３に実施形態３３を示す。以下の実施形態３３〜４８は実施形態１〜１６に明るさセンサが１つ入った構成である。図３３の照明システムは、１台の照明器具１と１台の明るさセンサ５４を備えたコントローラ５によって構成される。コントローラ５は操作部５２とＲＦ送信部５１を備え、ユーザの操作に基づいて上記のＲＦ信号を送信するものでもよいし、操作部５２がなく、明るさの検出値の変化に応じてＲＦ信号を送信するものでもよい。明るさセンサ５４は照明領域の照度や照明器具１の輝度等の明るさを検出する。コントローラ５からは、明るさの検出値、あるいは、その検出値が所定値よりも明るい／暗いといった判断に応じて、照明器具１の調光比を増減したり、調光比を指定するＲＦ信号を出力する。
【００４４】
図３３に示す実施形態３３は実施形態１に明るさセンサ５４を組み合せたものであり、図３４に示す実施形態３４は実施形態２に明るさセンサ５４を組み合せたものであり、図３５に示す実施形態３５は実施形態３に明るさセンサ５４を組み合せたものである。
【００４５】
これらの実施形態３３〜３５では、送信データの内容は人による操作内容のみではなく、明るさの検出値に基づく点灯制御、あるいは、明るさセンサ５４の検出値の情報が含まれており、明るさセンサ５４による自動点灯制御を可能としたものである。また、ＲＦ信号にＩＤ番号が含まれているので、いくつかのシステムが近傍に混在していても誤動作なく点灯制御が可能である。
【００４６】
図３６に示す実施形態３６は実施形態４に明るさセンサ５４を組み合せたものであり、図３７に示す実施形態３７は実施形態５に明るさセンサ５４を組み合せたものであり、図３８に示す実施形態３８は実施形態６に明るさセンサ５４を組み合せたものであり、１つのコントローラ５や明るさセンサ５４で方向・場所によらず複数の器具１、２、…、４の点灯制御が可能である。
【００４７】
これらの実施形態３６〜３８では、送信データの内容は人による操作内容のみではなく、明るさの検出値に基づく点灯制御、あるいは、明るさセンサ５４の検出値の情報が含まれており、明るさセンサ５４による自動点灯制御を可能としたものである。また、ＲＦ信号にＩＤ番号が含まれているので、いくつかのシステムが近傍に混在していても誤動作なく点灯制御が可能である。
【００４８】
図３９に示す実施形態３９は実施形態７に明るさセンサ５４を組み合せたものであり、図４０に示す実施形態４０は実施形態８に明るさセンサ５４を組み合せたものであり、図４１に示す実施形態４１は実施形態９に明るさセンサ５４を組み合せたものであり、複数のコントローラ５、６、…、８や明るさセンサ５４で方向・場所によらず１台の器具１の点灯制御が可能である。
【００４９】
これらの実施形態３９〜４１では、送信データの内容は人による操作内容のみではなく、明るさの検出値に基づく点灯制御、あるいは、明るさセンサ５４の検出値の情報が含まれており、明るさセンサ５４による自動点灯制御を可能としたものである。また、ＲＦ信号にＩＤ番号が含まれているので、いくつかのシステムが近傍に混在していても誤動作なく点灯制御が可能である。また、例えば、コントローラからの操作によっては任意の点灯状態に制御し、明るさセンサ５４の検出値に応じて調光比を制御する、あるいは、明るさセンサ５４の検出値が所定値以下の場合のみ、コントローラからの操作によって点灯する、あるいは、コントローラの操作によって点灯させるときに明るさセンサ５４の検出値によって調光比を制御する、などの制御が可能である。
【００５０】
図４２に示す実施形態４２は実施形態１０に明るさセンサ５４を組み合せたものであり、図４３に示す実施形態４３は実施形態１１に明るさセンサ５４を組み合せたものであり、図４４に示す実施形態４４は実施形態１２に明るさセンサ５４を組み合せたものであり、複数のコントローラ５、６、…、８や明るさセンサ５４で方向・場所によらず複数台の器具１、２、…、４の点灯制御が可能である。
【００５１】
これらの実施形態４２〜４４では、送信データの内容は人による操作内容のみではなく、明るさの検出値に基づく点灯制御、あるいは、明るさセンサ５４の検出値の情報が含まれており、明るさセンサ５４による自動点灯制御を可能としたものである。また、ＲＦ信号にＩＤ番号が含まれているので、いくつかのシステムが近傍に混在していても誤動作なく点灯制御が可能である。また、例えば、コントローラからの操作によっては任意の点灯状態に制御し、明るさセンサ５４の検出値に応じて調光比を制御する、あるいは、明るさセンサ５４の検出値が所定値以下の場合のみ、コントローラからの操作によって点灯する、あるいは、コントローラの操作によって点灯させるときに明るさセンサ５４の検出値によって調光比を制御する、などの制御が可能である。
【００５２】
図４５に示す実施形態４５は図１３に示す実施形態１３に明るさセンサ５４を組み合わせたものであり、図４６に示す実施形態４６は図１４に示す実施形態１４に明るさセンサ５４を組み合わせたものであり、図４７に示す実施形態４７は図１５に示す実施形態１５に明るさセンサ５４を組み合わせたものであり、図４８に示す実施形態４８は図１６に示す実施形態１５に明るさセンサ５４を組み合わせたものである。
【００５３】
親機９はコントローラからの信号を受信すると、これに対応した照明器具が点灯制御を行うようにＲＦ信号を送信する。親機９の動作としては、コントローラからの操作、あるいは、明るさセンサ５４による検出値や点灯制御信号に対して、点灯動作を行う照明器具や、点灯制御の内容をコントローラ毎、操作内容毎にシステム制御部で設定し、コントローラから受信したＲＦ信号に応じて、照明器具に対してＲＦ信号を送信するものが挙げられる。例えば、コントローラ５の明るさセンサ５４によってシステム内の照明器具それぞれの調光比を設定し、コントローラ６のスイッチ操作に対して照明器具を点灯させる、といった設定を親機９で管理する。明るさセンサ５４の検出値に連動して調光比制御を行う器具をいくつかに限定してもよい。
【００５４】
また、上述したように、明るさセンサ５４の検出値が所定値以下の場合のみ、コントローラの操作によって点灯したり、コントローラの操作によって点灯させるときに明るさセンサ５４の検出値によって調光比を制御する、などの例における調光比の設定や明るさ検出の基準値をコントローラで設定する。照明器具一つ一つ、あるいは、コントローラ一つ一つについて、設定作業を行うといった手間を省くことができる。
【００５５】
以上の実施形態４５〜４８では、親機による一括制御により、動作設定、状態把握が１箇所でできる。また、器具、コントローラのコストの削減により、多数機器のシステムのコストを抑制できる。さらに、親機ＩＤでのみシステムの識別をする場合は、ＩＤ番号の消費が少なく、ｂｉｔ数を減らせるので、通信時間を低減でき、応答性を向上できる。
【００５６】
図４９〜図５８に示す実施形態４９〜５８は、それぞれ実施形態７〜１６に複数の人感センサを組み合わせたものであり、各コントローラ５、６、…、８はそれぞれ人感センサ５３、６３、…、８３を備えている。送信データの内容は人による操作内容のみではなく、人体検知に基づく点灯制御あるいは人体検知の情報を含み、人感センサによる自動点灯制御を可能とするものである。また、例えば、コントローラからの操作によっては任意の点灯状態に制御し、人感センサの検知時は所定の点灯状態に固定するような制御なども可能となる。コントローラと照明器具の間に親機９を備える図５５〜図５８に示す実施形態５５〜５８では、例えば、コントローラ５の人感センサ５３の人体検知に対しては照明器具１を、コントローラ６の人感センサ６３の人体検知に対しては照明器具２と３を、またコントローラ８のスイッチ操作に対しては照明器具４を点灯させる、といった設定を親機９で管理する。これにより、照明器具一つ一つ、あるいは、コントローラ一つ一つについて、設定作業を行うといった手間を省くことができる。
【００５７】
図５９〜図７４に示す実施形態５９〜７４は、実施形態１〜１６に人感センサ１つと明るさセンサ１つが入った構成であり、実施形態１７〜３２（人感センサ１つの実施形態）と実施形態３３〜４８（明るさセンサ１つの実施形態）を組み合わせた構成に相当する。送信データの内容は人による操作内容のみではなく、人体検知に基づく点灯制御あるいは人体検知の情報を含み、人感センサによる自動点灯制御を可能とする。また、明るさの検出値に基づく点灯制御あるいは明るさセンサの検出値の情報を含み、明るさセンサによる自動点灯制御を可能とする。図中では明るさセンサと人感センサを１つのコントローラに備えた構成としたが、別々のコントローラに搭載する形でもよい。
【００５８】
図７５〜図８４に示す実施形態７５〜８４は、実施形態７〜１６に人感センサ複数個と明るさセンサ１つが入った構成であり、実施形態４９〜５８（人感センサが複数個の実施形態）と実施形態３９〜４８（明るさセンサ１つの実施形態のうちコントローラが複数のもの）を組み合わせた構成に相当する。送信データの内容は人による操作内容のみではなく、人体検知に基づく点灯制御あるいは人体検知の情報を含み、人感センサによる自動点灯制御を可能とする。また、明るさの検出値に基づく点灯制御あるいは明るさセンサの検出値の情報を含み、明るさセンサによる自動点灯制御を可能とする。図中では明るさセンサと人感センサを１つのコントローラに備えた構成としたが、別々のコントローラに搭載する形でもよい。
【００５９】
以下の実施形態８５〜９４は実施形態７〜１６に人感センサ複数個と明るさセンサ複数個が入った構成である。
図８５に示す実施形態８５は実施形態７に、図８６に示す実施形態８６は実施形態８に、図８７に示す実施形態８７は実施形態９に、それぞれ複数個の人感センサ５３、６３、…、８３と複数個の明るさセンサ５４、６４、…、８４を組み合せたものである。また、図８８に示す実施形態８８は実施形態１０に、図８９に示す実施形態８９は実施形態１１に、図９０に示す実施形態９０は実施形態１２にそれぞれ複数個の人感センサ５３、６３、…、８３と複数個の明るさセンサ５４、６４、…、８４を組み合せたものである。
【００６０】
送信データの内容は人による操作内容のみではなく、人体検知に基づく点灯制御、あるいは人体検知の情報を含み、人感センサによる自動点灯制御を可能としたものである。また、明るさの検出値に基づく点灯制御、明るさセンサの検出値の情報を含み、明るさセンサによる自動点灯制御を可能としたものである。図中では全てのコントローラに明るさセンサ、人感センサ双方を備えた構成としたが、一方のセンサのみをコントローラに搭載する形も含まれてよい。
【００６１】
また、図９１に示す実施形態９１は実施形態１３に、図９２に示す実施形態９２は実施形態１４に、図９３に示す実施形態９３は実施形態１５に、図９４に示す実施形態９４は実施形態１６に、それぞれ複数個の人感センサ５３、６３、…、８３と複数個の明るさセンサ５４、６４、…、８４を組み合せたものである。親機はコントローラからの信号を受信すると、これに対応した照明器具が点灯制御を行うようにＲＦ信号を送信する。親機の動作としては、コントローラからの操作、あるいは、人感センサによる人体の検知に対して、点灯動作を行う照明器具や、点灯制御の内容をコントローラ毎、操作内容毎にシステム制御部で設定し、コントローラから受信したＲＦ信号に応じて、照明器具に対してＲＦ信号を送信するものが挙げられる。例えば、コントローラ５の人感センサの人体検知に対しては照明器具１を、コントローラ６のスイッチ操作に対しては照明器具２と３を点灯させる、といった設定を親機で管理する。また、親機の動作として、明るさセンサによる検出値や点灯制御信号に対して、点灯動作を行う照明器具や、点灯制御の内容をコントローラ毎、操作内容毎にシステム制御部で設定し、コントローラから受信したＲＦ信号に応じて、照明器具に対してＲＦ信号を送信するものが挙げられる。例えば、コントローラ５の明るさセンサによってシステム内の照明器具それぞれの調光比を設定し、コントローラ６のスイッチ操作に対して照明器具を点灯させる、といった設定を親機で管理する。照明器具一つ一つ、あるいは、コントローラ一つ一つについて、設定作業を行うといった手間を省くことができる。明るさセンサの検出値に連動して調光比制御を行う器具をいくつかに限定してもよい。
【００６２】
また、上述した明るさセンサ検出値が所定値以下の場合のみコントローラの操作によって点灯する、あるいは、コントローラの操作によって点灯させるときに明るさセンサの検出値によって調光比を制御するなどの例における調光比の設定や明るさ検出の基準値をコントローラで設定する。
【００６３】
以上の実施形態９１〜９４では、親機による一括制御により、動作設定、状態把握が１箇所でできる。また、器具、コントローラのコストの削減により、多数機器のシステムのコストを抑制できる。また、親機ＩＤでのみシステムの識別をする場合は、ＩＤ番号の消費が少なく、ｂｉｔ数を減らせるので、通信時間を低減でき、応答性を向上できる。
【００６４】
ここまでの全ての実施形態において、コントローラ（人感センサ、明るさセンサによる調光制御、タイマ、スイッチ）を器具が包含する形でもよい。また、親機がコントローラと一体でもよい。また、親機が照明器具の一つと一体でもよい。また、ＲＦ信号による情報の種類としては、検知、点灯制御、調光制御、消灯、モード切替、動作設定、明るさ検出値、調光比増減、などが挙げられる。ＲＦ信号は、点灯させる以外にも点灯開始のトリガを与えるものとし、照明器具側でトリガより所定の時間をカウントし、その間点灯を維持する、あるいは調光状態を維持する、といった形でもよい。
【００６５】
以下の実施形態では、ＲＦ信号に送信元ＩＤあるいは受信元ＩＤ（相手先ＩＤ）が含まれていない場合について幾つかの構成例を説明する。
図９５に本発明の実施形態９５を示す。照明器具１はたとえばポーチライトのような屋外に設置される器具であり、照明器具２は内玄関灯のような室内に設置される器具である。照明器具１は、ランプ１０と、点灯状態信号に基づいてランプ１０の点灯を制御する負荷制御部１１と、所定の点灯状態の制御指令または設定情報に基づいて前記点灯状態信号を送出する点灯制御部１２を備え、この点灯制御部１２に無線信号の送受信部１３を備えて、点灯状態の制御指令又は現在の点灯状態又は前記所定の設定情報を伝達可能とする。照明器具２も同様の構成を有しており、ランプ２０と、点灯状態信号に基づいてランプ２０の点灯を制御する負荷制御部２１と、所定の点灯状態の制御指令または設定情報に基づいて前記点灯状態信号を送出する点灯制御部２２を備え、この点灯制御部２２に無線信号の送受信部２３を備えて、点灯状態の制御指令又は現在の点灯状態又は前記所定の設定情報を伝達可能とする。このような構成でコントローラ５からそれぞれの器具１，２に個別あるいは同時に設定あるいは制御することが考えられる。コントローラ５は、無線信号の送受信部５１を備えて点灯状態の制御指令又は前記所定の設定情報を点灯制御部１２、２２に送信できるように構成されている。
【００６６】
具体的な動作例を以下に説明する。
（設定例）
たとえばある時間になると器具１、２が自動点灯する機能を有しているとき、その時間をコントローラ５から設定するような場合は、まず、コントローラ５の操作部５２で器具と時間を入力して設定操作を行うと、送受信部５１から設定情報が電波（ＲＦ信号）により送信され、たとえば照明器具１が設定されたときはそのＲＦ送受信部１３から返信信号がコントローラ５のＲＦ送受信部５１に返され設定が完了する。同様に照明器具２の設定も行われる。双方の器具を同時に設定することも可能である。
【００６７】
（制御例）
たとえばコントローラ５により照明器具１，２を強制的に点消灯するような場合（深夜就寝時の操作など）がある。このときコントローラ５から照明器具１のアドレスと点灯状態の制御指令が電波（ＲＦ信号）により送信され、これに基づいて負荷制御部１１によって照明器具１のランプ１０が点消灯し、その状態返信がコントローラ５に返される。次に照明器具２のアドレスと点灯制御指令が送信されて照明器具２のランプ２０が点消灯し、その状態返信がコントローラ５に返され制御が完了する。
【００６８】
このような構成にて電波（ＲＦ信号）により設定・制御を行うことにより、今まで実現が困難であった他空間の設定・制御が簡単に可能になり、利便性がより向上する。また、コントローラ５のＲＦ送受信部５１には、設定や制御の器具情報が返信されることにより、コントローラ５の側で容易に確認ができる。
【００６９】
図９６に本発明の実施形態９６を示す。構成は実施形態９５とよく似ており、コントローラ５に人感センサ５３が接続されているところが異なる。設定時の動作は実施形態９５と同様であるので説明は省略し、制御時の例のみを説明する。コントローラ５は一般に室内に設置されている。いまコントローラ５が内玄関の周辺に設置されているとき、人が近づくと人感センサ５３が検知し、検知信号をコントローラ５に送る。この信号を受けるとコントローラ５は照明器具２のアドレスとセンサ検知信号をＲＦ送受信部５１から電波（ＲＦ信号）により送信し、照明器具２はセンサ点灯する。コントローラ５の操作による制御については実施形態９５と同様である。
【００７０】
このように実施形態９６では、コントローラ５にセンサ５３を設け、コントローラ５から照明器具１，２を設定・制御するのに加え、人感センサ５３の検知時に、特定の器具２のみをセンサ点灯させることができる特徴があり、特にセンサ５３がコントローラ５側にあるので、コントローラ５が仮に電池駆動であると、設置場所の自由度が高く、照明器具２とコントローラ５の位置関係（距離、方向）が赤外線方式では伝送困難な場合でも確実に信号伝送ができ、センサ点灯が達成されるメリットがある。
【００７１】
なお、この例ではコントローラ５からのセンサ検知時の送信信号はセンサ情報をそのまま対象器具２に送信し、器具２の側で判断して点灯状態を決定しているが、このセンサ信号をコントローラ５が受けたとき、特定器具（この場合は照明器具２）に点灯制御コマンド（点灯、消灯など）を送信する方法でも良い。
【００７２】
図９７に本発明の実施形態９７を示す。この例は階段での照明器具の点灯制御例で複数のコントローラ５，６から特定の照明器具１を制御するものである。具体的な制御例を以下に示す。第１のコントローラ５はたとえば階上に設置され、第２のコントローラ６は階下に設置されている。照明器具１は階段の中央付近に設置されている。いま、人が階下でコントローラ６を操作すると、ＲＦ送信部６１から電波（ＲＦ信号）により照明器具１に送信信号が送信され、照明器具１のＲＦ受信部１３にて受信し、照明器具１が（消灯している場合は）点灯する。次に階上で同様にコントローラ５を操作すると、照明器具１に送信信号が送信され、照明器具１のＲＦ受信部１３にて受信し、照明器具１が消灯する。この例は複数のコントローラ５，６にて手動で点灯制御するもので無線による３路スイッチの機能のものである。
【００７３】
図９８に本発明の実施形態９８を示す。この例は実施形態９７の各コントローラ５，６に人感センサ５３，６３を設け、自動で照明器具１を点灯制御するものである。動作は階下のコントローラ６付近に人が近づくと人感センサ６３が動作し、コントローラ６のＲＦ送信部６１から電波（ＲＦ信号）により照明器具１にセンサ信号が送信され、照明器具１がタイマー点灯する。その後、タイマー時間中にセンサ６３が動作しなければ、照明器具１が自動的に消灯する。階上からの動作も同様である。
【００７４】
このように電波（ＲＦ信号）を利用したので、人感センサの設置位置及びコントローラの設置位置が自由に設定できるとともに、従来の赤外線で送信する場合に比べて送受信が確実で信頼性の高い照明制御が達成できる。（赤外線を利用した場合、階上と階下のコントローラの送信ＬＥＤの方向を変更する煩雑さがあり、また照明器具が吹き抜けの空間に設置される場合、距離が遠くなり到達性に問題がある。）
【００７５】
図９９に本発明の実施形態９９を示す。この例はたとえばエントランス空間での複数の照明器具１〜４の連動制御に関するものである。照明器具１、２、３、４はそれぞれ人感センサ１４、２４、３４、４４を有しており、これらの器具１〜４はエントランス空間に設置されている。そしていずれかの器具２が人感センサ２４から情報を受けると、点灯信号を送信し、すべての器具１〜４が連動して点灯するものである。
【００７６】
以下、具体的に動作を説明する。今、照明器具２周辺に人が近づき、内蔵されている人感センサ２４が検知すると、自身のランプ２０は点灯すると同時に照明器具２の点灯制御部２２のＲＦ送受信部２３から親器具である照明器具１のアドレスと、センサ検知情報が電波（ＲＦ信号）により送信される。照明器具１はこの信号を点灯制御部１２のＲＦ送受信部１３にて受信し、自身のランプ１０を点灯すると同時に照明器具２に自身の状態を返信する。次に他の照明器具３、４に対しそれぞれの器具アドレス、センサ検知信号を送信する。これにより照明器具３、４はそれを受信して自身のランプ３０，４０を点灯し、それぞれ照明器具１へ自身の状態を返信する。
【００７７】
以上により各器具１〜４が連動して点灯する。なお、消灯動作はいずれかのセンサが点灯保持時間内に再度検知しなければ自動的に消灯する。感知する人感センサがいずれであってもその情報は親器具である照明器具１に伝送されてから他の器具へ伝送される集中制御方式となっている。
【００７８】
図１００に本発明の実施形態１００を示す。この例は実施形態９９と動作は同じであるが、センサが検知したときの各器具への信号伝送方式が異なる実施形態である。以下、本実施形態における信号伝送について説明する。今、照明器具２周辺に人が近づき、内蔵されている人感センサ２４が検知すると、自身のランプ２０は点灯すると同時に、照明器具２の点灯制御部２２のＲＦ送受信部２３から他の照明器具１のアドレスと、センサ検知情報が電波（ＲＦ信号）により送信される。照明器具１はこの信号を点灯制御部１２のＲＦ送受信部１３にて受信し、自身のランプ１０を点灯すると同時に、照明器具２に対し自身の器具アドレス、受信信号を送信する。これにより照明器具２はそれを受信して照明器具１への送信制御が完了したことを確認する。次に照明器具３に同様の送信データを送信し、照明器具３から返信を確認する。さらに照明器具４に対し同様の送信を行い、すべての器具１〜４が連動して点灯する。他の照明器具のセンサが検知しても同様の動作をする。この例は特に親器具を設定せず、いずれかの器具が検知すると他の器具すべてに送信する構成である。
【００７９】
図１０１に本発明の実施形態１０１を示す。この例は実施形態９９とほぼ同様であるが、照明器具４の代わりに人感センサ５３とＲＦ送信部５１を有するユニットとした点のみ異なる。これはその場所付近に人が近づくとセンサ５３が検知して欲しいが、照明そのものはその場所には必要ない用途の例である。たとえばこの人感センサ５３は門柱灯付近に設置し、その他の照明器具１〜３は玄関までのアプローチに設置され、人が門柱から中に入ると玄関までの照明器具１〜３が一斉に点灯するような例である。
【００８０】
図１０２に本発明の実施形態１０２を示す。この例は実施形態９６とほぼ同じであるが、コントローラ５から離れたところにさらに人感センサ６３とＲＦ送信部６１を有するユニットを付加した点が異なる。これは玄関付近での他箇所でのセンサ点灯のための例であり、実施形態９６の構成だけでは検知エリアが狭い、検知しにくいなどの欠点を補う構成である。動作はコントローラ５の人感センサ５３もしくは外部の人感センサ６３のいずれかが検知すると、この信号を受け、コントローラ５は照明器具２のアドレスとセンサ検知信号を送受信部５１から電波（ＲＦ信号）により送信し、照明器具２はセンサ点灯をする。その他の動作は実施形態９６と同様である。
【００８１】
ここまでの実施形態では、照明器具にＲＦ送受信部を有する構成としたが、ＲＦ送受信部と点灯制御部が照明器具の外に備わるシステムでもよく、その場合、複数の照明器具を１つの点灯制御部によって制御する構成が考えられる。この後に挙げる実施形態においても点灯制御部は器具内に備わるとは限らず、器具の外にあり、点灯制御命令を受けて負荷制御部に点灯制御信号を送出するものでもよい。
【００８２】
また、人感センサによる点灯制御の例を示したが、明るさセンサによる点灯制御でもよく、所定値より暗くなることによって点灯を開始する、あるいは調光比を変更するといった制御を行うものでもよい。あるいはこれらと人感センサとの組み合わせによる点灯制御を行うものとしてもよい。
【００８３】
図１０５に本発明の実施形態１０３を示す。照明器具１、２、３の構成は実施形態１００と同様であり、１０、２０、３０はランプ、１１、２１、３１は負荷制御部、１２、２２、２３は点灯制御部、１３、２３、３３はＲＦ送受信部、１４、２４、３４は人感センサである。これら全体が一つの器具として動作するが、おのおののセンサ情報を各器具からＲＦ信号により送信し、他の器具はこの情報により自身の位置を判断し、最適な点灯状態を決定するものである。
【００８４】
具体的な制御例を図１０６により説明する。この図はある作業空間（事務所など）の平面図である。ａ〜ｐはそれぞれ照明器具である。今、人が照明器具ａの周辺にいたとする。そうすると照明器具ａの人感センサが検知し、その情報をその他の器具にＲＦ信号により送信する。各器具は照明器具ａからのセンサ情報を受信し点灯かどうかを判断する。照明器具ｂ〜ｉは自己の人感情報はないが照明器具ａの周辺に位置しており、受信すると点灯する。その他のｊ〜ｐの照明器具は照明器具ａから比較的遠いので、消灯のままである。人が移動するたびにこのような情報のやり取りをして最適な点灯状態を維持する。このような制御により最適な省エネ制御が可能であるだけでなく、特別な制御線が不要でかつ赤外線方式のように距離の制約も無く、比較的広範囲にわたっての制御ができる特徴がある。
【００８５】
図１０７は図１０５の分散制御を親機５からの集中制御方式に変更した例であり、人の検知によるランプの点灯動作については図１０５の分散制御の場合と同じであるが、集中制御方式の場合は上述の実施形態９９と同様に、すべての検知情報がひとまず親機５に送信され、親機５から各照明器具１、２、３が制御される点が異なる。
【００８６】
図１０８に本発明の実施形態１０４を示す。６はコントローラである。この構成例は複数の照明器具１〜３をコントローラ６で一括制御するもので、たとえばコンビニエンスストアなどでのタイムスケジュール制御などが挙げられる。
【００８７】
以下、具体例で説明する。タイムスケジュール例として、たとえば昼間は周囲が明るいので８０％調光、夜は１００％調光、深夜は人が少ないので７０％調光というように、時間ごとに照明器具１〜３の明るさを自動的に変えようというものである。
【００８８】
その時間のはじまりごとにコントローラ６に内蔵のＲＦ送信部６１から各器具１〜３へ器具アドレス、調光レベルが送信される。各器具１〜３は内蔵のＲＦ受信部１３、２３、３３によりＲＦ信号を受信し、その調光レベルでランプ１０、２０、３０を点灯する。
【００８９】
このような制御により最適な省エネ制御が可能であるだけでなく、特別な制御線が不要でかつ赤外線方式のように距離の制約も無く、比較的広範囲にわたっての制御ができる特徴がある。また、有線では信号を常に出力するのに比べ、ＲＦ信号では変化があったときにのみ伝送するので、消費電力も低減できる長所もある。
【００９０】
この実施形態で、調光比やそれを切り替える時刻をコントローラ６から設定情報として前もって各器具１〜３に送っておき、各器具１〜３が時計情報を環境情報として取得し、設定された時刻が来たら動作するようにしても良い。その場合、時計情報をＲＦ信号によりコントローラ６から提供するようにしてもよい。
【００９１】
図１０９に本発明の実施形態１０５を示す。この例は実施形態１０４と同じような構成例であるが、コントローラ６に明るさセンサ６４と人感センサ６３が接続されたものであり、事務所や店舗などで床面照度を常に一定にするとともに人がいない場合は消灯ないしは調光するシステム構成である。
【００９２】
以下具体的な動作を図１１０のフローチャートにしたがって説明する。コントローラ内蔵の明るさセンサ６４のレベルを測定し、決められた照度の時の設定値と比較する。もし設定値と一致していなければ各器具に送る調光レベルを調整する。明るさレベルが設定値より低ければ調光レベルを上げ、高ければ調光レベルを下げる。この調整した調光レベルと器具アドレスを各器具１〜３にＲＦ送信部６１より送信する。各器具１〜３はこれを受信し、修正された調光レベルで点灯する。以下これを繰り返し、一定照度に保たれるようにする。
【００９３】
人感センサ６３の動作は、人がいなくなり人感センサ６３が不動作になると、コントローラ６のＲＦ送信部６１から消灯信号あるいは一定調光信号が送信される。各器具１〜３はこれを受信し、消灯あるいは一定調光状態に変化する。
【００９４】
また、明るさセンサ６４をコントローラ６に内蔵する、あるいはセンサ個別でＲＦ送信部６１を有するといった構成で、明るさレベルの検知情報を各器具１〜３に伝送し、器具毎に設定される設定値で明るさ調整することも可能である。この時、コントローラ６によってＲＦ信号で前もって各器具１〜３毎に明るさレベルの設定値を設定可能としてもよい。
【００９５】
図１１１および図１１２は本実施形態の変形例であり、図１１１はセンサ有りのシステム構成例、図１１２はセンサ無しのシステム構成例である。複数のコントローラ５または６が有線あるいは無線の伝送系で接続されており、制御指令ないしは設定情報を互いに送受し、他のコントローラ５または６の情報に基づいて点灯制御部への伝達信号を決める構成である。このように、大規模制御の場合、コントローラ同士が接続されることがある。制御は実施形態１０３〜１１と同様であるので、説明は省略する。
【００９６】
図１１３は本実施形態の他の変形例であり、複数のサブコントローラ６にメインコントローラとしての親機５が有線あるいは無線の伝送系で接続されている例である。センサは含まれてはいないが、これに限るものでなく、センサを含む構成であってもよい。
【００９７】
これらの実施形態でも実施形態９５〜８と同様、照明器具にＲＦ送受信部を有する構成としたが、ＲＦ送受信部と点灯制御部が器具の外に備わるシステムでもよく、その場合、複数の照明器具を１つの点灯制御部によって制御する構成が考えられる。この後に挙げる実施例においても点灯制御部は器具内に備わるとは限らず、器具の外にあり、点灯制御命令を受けて負荷制御部に点灯制御信号を送出するものでもよい。
【００９８】
また、すべての実施形態において、ＲＦ信号で伝送される点灯制御の指令は、点灯／調光（調光比が固定なもの）／調光（調光比を指定できるもの）／消灯／調光比のアップダウンなど、照明の点灯状態を指定するものであればよい。また設定情報は、時間／調光比あるいは環境情報などに対する闘値など、動作パターンを指定するものであればよい。
【００９９】
【実施例】
（実施例１）
図１１４に本発明の照明システムを住宅用の照明システムとして具体化した実施例を示す。この例では、照明器具１〜３はポーチライト、内玄関灯、居室主照明といったもので示しているが、門扉、アプローチ、階段、廊下、キッチン、ダイニング、勝手口、寝室、…など、住宅内外の各所における照明器具のいずれでもよい。また、コントローラ５の設置場所も特に問うものではない。
【０１００】
図１１５はコントローラ５の操作部５２の一例を示している。ポーチライト、内玄関灯、リビングの主照明のそれぞれについて、全点灯、調光、消灯の操作ボタンが設けられている。また、調光レベルのＵＰ／ＤＯＷＮのための操作ボタンが設けられている。
【０１０１】
コントローラ５のスイッチ操作によって対応した照明器具１〜３の点灯状態を変化させる。各照明器具１〜３のＩＤをポーチ：００、内玄関灯：０１、リビング：１０とし、また、点灯状態指令のコードを消灯：００、全点灯：１１、調光点灯：０１とした場合に、コントローラ５から器具１〜３への伝送信号のフォーマットを図１１６（ａ）のように決めた場合、データ領域の４ｂｉｔを（００，００）のように送出し、無線信号によってこれを照明器具が受け取り、ポーチライトが消灯する、という動作となる。また、データ領域の４ｂｉｔを（１０，１１）とすれば、リビングの照明器具が全点灯する動作となる。
【０１０２】
ここでは簡単にＩＤを２ｂｉｔとしたが、実際のシステムにおいては、これに限らず、他のシステムを含めて全ての器具が互いに干渉することのないように、２ｂｉｔ以上の８ｂｉｔ〜２４ｂｉｔといった長いＩＤとしてよい。例えば２４ｂｉｔのＩＤであれば、１６００万通り以上のＩＤが存在することになる。
【０１０３】
図１１５のスイッチＡ、Ｂ、Ｃを操作した場合の図１１６（ａ）のデータ領域（ＩＤ：５ｂｉｔと６ｂｉｔ，指令：７ｂｉｔと８ｂｉｔ）の内容を表１に示す。スイッチＡが操作された場合、ポーチライト（ＩＤ：００）を全点灯（：１１）させるのでデータ領域は（００，１１）となり、スイッチＢが操作された場合、内玄関灯（ＩＤ：０１）を調光点灯（：０１）させるのでデータ領域は（０１，０１）となり、スイッチＣが操作された場合、リビングの主照明（ＩＤ：１０）を消灯（：００）させるのでデータ領域は（１０，００）となる。
【０１０４】
【表１】
0003918460.tif 000002
【０１０５】
また、図１１６（ｂ）のように、データ領域を１０ｂｉｔに広げ、調光比などの明るさを指定して点灯状態を変更することができる。また同様に現在の点灯状態に対して、明るくする／暗くする、といった命令を送ることも可能である。
【０１０６】
図１１４の実施例では人感センサ１４と明るさセンサ１５をポーチライト１に設置し、また、人感センサ単体をシステム内に配しているが、これらを用いない制御形態も考えられるし、また、その設置場所も特に限定するものではなく、他の照明器具やコントローラに備わるというものでもよい。
【０１０７】
（実施例２）
図１１７の実施例では、コントローラ５に操作部５２のみが設けられており、操作部５２の操作に応じて各器具に命令を送る制御形態となっているが、時間の経過とともに順次自動的に命令を送る、あるいは他のトリガによって命令を送る、といった制御形態でも良い。各器具に対する命令は、器具ＩＤと点灯制御指令よりなり、点灯制御指令には、全点灯、調光点灯、消灯、ｘｘ％の調光点灯、明るさＵＰ、明るさＤＯＷＮなどの指令が含まれる。
【０１０８】
（実施例３）
図１１８の実施例では、コントローラ５に人感センサ５３が内蔵されており、人体を検知すると、所定の器具に対して点灯指令を送出する。また、コントローラ５に明るさセンサ５４が内蔵されており、所定の明るさ以下になると、所定の器具に対して点灯指令を送出する。図示された例では、コントローラ５の送信部５１から器具ＩＤと点灯制御指令が送信され、これを受信した器具１〜３が自己のＩＤの点灯制御指令を実行する。点灯制御指令には、上記実施例と同様に、全点灯、調光点灯、消灯、ｘｘ％の調光点灯、明るさＵＰ、明るさＤＯＷＮなどの指令が含まれる。
【０１０９】
（実施例４）
図１１９の実施例では、ポーチライト１の人感センサ１４によってポーチライト１と内玄関灯２が連動して動作する。ポーチライト１の人感センサ１４が人体を検知すると、点灯制御部１２が負荷制御部１１に指令を出してランプ１０を点灯するとともに、点灯制御部１２内のＲＦ送信部Ｔｘから内玄関灯２に対して点灯指令を送出する。内玄関灯２はこれを受けて同時に連動して点灯する。ポーチライト１の消灯と同時に消灯信号を送出すれば、同時に内玄関灯２も消灯する。
【０１１０】
（実施例５）
図１２０の実施例では、コントローラ５から照明器具のＩＤを指定して設定情報を送るものである。図示された例では、ポーチライト１に対してコントローラ５から設定を行う場合を示しており、センサ１４，１５より得られる環境情報に対して動作を行う闘値などを設定できる。また、周囲照度が設定する闘値より低くなれば点灯する、調光比を変える、などの動作パターンを設定できる。また、設定した時刻になったら点灯を開始する、あるいは消灯する、あるいは調光比を変える、などを設定できる。また、人感センサをトリガとして、点灯を開始し、設定した時間点灯を保持する、などの動作を設定するものである。この場合、各器具が設定された値によって動作する形となるため、コントローラ自身が起動していないか、或いは、不動作になっているとしても個々に独立して動作を継続させることができる。また、決められた時刻に点灯・消灯するような照明システムを構成する場合、コントローラ５またはいずれかの器具に時計１６を設けて時刻を計時し、各器具１〜３にほぼ同一のタイミングで点灯制御指令を与えるようにすれば、統一した動作を実現できる。
【０１１１】
（実施例６）
図１２１の実施例は、コントローラ５からＲＦ信号を用いて各器具にＩＤ問い合わせを行い、各器具からＲＦ信号を用いて返信されるＩＤ情報を取得する。図示された例では、コントローラ５の送信部ＴｘからＩＤ問い合わせのためのＲＦ信号が送信されると、ポーチライト１からは器具ＩＤとセンサＩＤなどのＩＤ情報が返信され、内玄関灯２からは器具ＩＤが返信される。これにより、コントローラ５から各器具の点灯状態を制御する場合に、操作部５２の各スイッチに対応する器具のＩＤや、センサ入力に対して点灯制御を行う器具のＩＤといった情報をコントローラ５に登録することができる。このように設定情報をやり取りすることによりシステムの設置が容易になる効果がある。
【０１１２】
（実施例７）
図１２２の実施例は、コントローラ５などに備わる表示部５５に、点灯状態を表示できるようにしたものである。そのために、ポーチライト１、内玄関灯２、リビングの主照明３の各器具は、全点灯、調光点灯、消灯などの点灯状態情報を自己のＩＤと共にコントローラ５にＲＦ信号で送信する。図示された例では、コントローラ５の操作部５２の各スイッチに設けられたＬＥＤによる状態表示により、ポーチライト１は全点灯、内玄関灯２は調光点灯、リビングの主照明３は消灯状態であることが分かる。また、図１１６（ｂ）のような長い信号フォーマットを用いて、調光比のデータを伝送することにより、コントローラ５の表示部５５には調光点灯時の調光比を表示できるようにしている。図示された例では、内玄関灯２が３０％の調光比で調光点灯されていることが分かる。
【０１１３】
この例では、各器具１〜３の点灯状態をコントローラ５に対して送信し、コントローラ５に備える表示部５５に点灯状態情報を表示してユーザに知らしめるものであるが、表示部はコントローラ５に付随するものとは限らず、独立したユニットであってもよいし、照明器具１〜３のいずれかに備わるものでもよい。
【０１１４】
（実施例８）
図１２３の実施例はセンサ情報をそのまま伝送するものである。ポーチライト１に備わる人感センサ１４が人体を検知した際に、点灯制御部１２の送信部Ｔｘからは「人感センサ（ポーチ）が人体検知した」という情報が送信される。これを受けた各器具（内玄関灯、リビング主照明など）が個々にそのセンサ情報により点灯を開始する、あるいは調光比を変化させる等の点灯の判断を行う。
【０１１５】
また、ポーチライト１に備わる明るさセンサ１５による周囲照度の検出値に応じて、点灯制御部１２の送信部Ｔｘからは「明るさセンサ（ポーチ）では周囲照度が〜である」という情報が送信される。これを受けた各器具（内玄関灯、リビング主照明など）が個々にそのセンサ情報により点灯を開始するか否か、あるいは点灯する調光比などを判断する。
【０１１６】
（実施例９）
図１２４の実施例はコントローラ５などに備わる表示部５５に人感センサの検知状態や明るさセンサの検出照度を表示できるようにしたものである。本実施例のシステム構成例を図１２５に示す。ポーチライト１の人感センサ１４や明るさセンサ１５による人体検知、周囲照度などのセンサ情報は、点灯制御部１２の送信部Ｔｘから送信され、コントローラ５の受信部Ｒｘで受信される。コントローラ５では、受信されたセンサ情報に基づいて人体検知、周囲照度などを表示する。
【０１１７】
これら実施例１〜９では、ＩＤを２ｂｉｔとして受信元ＩＤをＲＦ信号中に入れる形で示したが、送信元ＩＤあるいはその両方を入れる形としても良い。また、データ領域は伝送するデータの種類やパラメータ数などに応じて適宜拡張して考えて良い。
【０１１８】
【発明の効果】
本発明の照明システムによれば、点灯状態の制御指令又は現在の点灯状態又は設定情報をＲＦ信号により伝送するようにしたので、従来の赤外線での通信を用いる照明システムに比べると、一つの空間だけでなく他の空間も含めて確実に制御あるいは設定ができ、信号送受信部の方向の設定も容易になり、器具あるいはコントローラなどの取り付けを容易にするという効果がある。
【図面の簡単な説明】
【図１】本発明の実施形態１の照明システムの概略構成図である。
【図２】本発明の実施形態２の照明システムの概略構成図である。
【図３】本発明の実施形態３の照明システムの概略構成図である。
【図４】本発明の実施形態４の照明システムの概略構成図である。
【図５】本発明の実施形態５の照明システムの概略構成図である。
【図６】本発明の実施形態６の照明システムの概略構成図である。
【図７】本発明の実施形態７の照明システムの概略構成図である。
【図８】本発明の実施形態８の照明システムの概略構成図である。
【図９】本発明の実施形態９の照明システムの概略構成図である。
【図１０】本発明の実施形態１０の照明システムの概略構成図である。
【図１１】本発明の実施形態１１の照明システムの概略構成図である。
【図１２】本発明の実施形態１２の照明システムの概略構成図である。
【図１３】本発明の実施形態１３の照明システムの概略構成図である。
【図１４】本発明の実施形態１４の照明システムの概略構成図である。
【図１５】本発明の実施形態１５の照明システムの概略構成図である。
【図１６】本発明の実施形態１６の照明システムの概略構成図である。
【図１７】本発明の実施形態１７の照明システムの概略構成図である。
【図１８】本発明の実施形態１８の照明システムの概略構成図である。
【図１９】本発明の実施形態１９の照明システムの概略構成図である。
【図２０】本発明の実施形態２０の照明システムの概略構成図である。
【図２１】本発明の実施形態２１の照明システムの概略構成図である。
【図２２】本発明の実施形態２２の照明システムの概略構成図である。
【図２３】本発明の実施形態２３の照明システムの概略構成図である。
【図２４】本発明の実施形態２４の照明システムの概略構成図である。
【図２５】本発明の実施形態２５の照明システムの概略構成図である。
【図２６】本発明の実施形態２６の照明システムの概略構成図である。
【図２７】本発明の実施形態２７の照明システムの概略構成図である。
【図２８】本発明の実施形態２８の照明システムの概略構成図である。
【図２９】本発明の実施形態２９の照明システムの概略構成図である。
【図３０】本発明の実施形態３０の照明システムの概略構成図である。
【図３１】本発明の実施形態３１の照明システムの概略構成図である。
【図３２】本発明の実施形態３２の照明システムの概略構成図である。
【図３３】本発明の実施形態３３の照明システムの概略構成図である。
【図３４】本発明の実施形態３４の照明システムの概略構成図である。
【図３５】本発明の実施形態３５の照明システムの概略構成図である。
【図３６】本発明の実施形態３６の照明システムの概略構成図である。
【図３７】本発明の実施形態３７の照明システムの概略構成図である。
【図３８】本発明の実施形態３８の照明システムの概略構成図である。
【図３９】本発明の実施形態３９の照明システムの概略構成図である。
【図４０】本発明の実施形態４０の照明システムの概略構成図である。
【図４１】本発明の実施形態４１の照明システムの概略構成図である。
【図４２】本発明の実施形態４２の照明システムの概略構成図である。
【図４３】本発明の実施形態４３の照明システムの概略構成図である。
【図４４】本発明の実施形態４４の照明システムの概略構成図である。
【図４５】本発明の実施形態４５の照明システムの概略構成図である。
【図４６】本発明の実施形態４６の照明システムの概略構成図である。
【図４７】本発明の実施形態４７の照明システムの概略構成図である。
【図４８】本発明の実施形態４８の照明システムの概略構成図である。
【図４９】本発明の実施形態４９の照明システムの概略構成図である。
【図５０】本発明の実施形態５０の照明システムの概略構成図である。
【図５１】本発明の実施形態５１の照明システムの概略構成図である。
【図５２】本発明の実施形態５２の照明システムの概略構成図である。
【図５３】本発明の実施形態５３の照明システムの概略構成図である。
【図５４】本発明の実施形態５４の照明システムの概略構成図である。
【図５５】本発明の実施形態５５の照明システムの概略構成図である。
【図５６】本発明の実施形態５６の照明システムの概略構成図である。
【図５７】本発明の実施形態５７の照明システムの概略構成図である。
【図５８】本発明の実施形態５８の照明システムの概略構成図である。
【図５９】本発明の実施形態５９の照明システムの概略構成図である。
【図６０】本発明の実施形態６０の照明システムの概略構成図である。
【図６１】本発明の実施形態６１の照明システムの概略構成図である。
【図６２】本発明の実施形態６２の照明システムの概略構成図である。
【図６３】本発明の実施形態６３の照明システムの概略構成図である。
【図６４】本発明の実施形態６４の照明システムの概略構成図である。
【図６５】本発明の実施形態６５の照明システムの概略構成図である。
【図６６】本発明の実施形態６６の照明システムの概略構成図である。
【図６７】本発明の実施形態６７の照明システムの概略構成図である。
【図６８】本発明の実施形態６８の照明システムの概略構成図である。
【図６９】本発明の実施形態６９の照明システムの概略構成図である。
【図７０】本発明の実施形態７０の照明システムの概略構成図である。
【図７１】本発明の実施形態７１の照明システムの概略構成図である。
【図７２】本発明の実施形態７２の照明システムの概略構成図である。
【図７３】本発明の実施形態７３の照明システムの概略構成図である。
【図７４】本発明の実施形態７４の照明システムの概略構成図である。
【図７５】本発明の実施形態７５の照明システムの概略構成図である。
【図７６】本発明の実施形態７６の照明システムの概略構成図である。
【図７７】本発明の実施形態７７の照明システムの概略構成図である。
【図７８】本発明の実施形態７８の照明システムの概略構成図である。
【図７９】本発明の実施形態７９の照明システムの概略構成図である。
【図８０】本発明の実施形態８０の照明システムの概略構成図である。
【図８１】本発明の実施形態８１の照明システムの概略構成図である。
【図８２】本発明の実施形態８２の照明システムの概略構成図である。
【図８３】本発明の実施形態８３の照明システムの概略構成図である。
【図８４】本発明の実施形態８４の照明システムの概略構成図である。
【図８５】本発明の実施形態８５の照明システムの概略構成図である。
【図８６】本発明の実施形態８６の照明システムの概略構成図である。
【図８７】本発明の実施形態８７の照明システムの概略構成図である。
【図８８】本発明の実施形態８８の照明システムの概略構成図である。
【図８９】本発明の実施形態８９の照明システムの概略構成図である。
【図９０】本発明の実施形態９０の照明システムの概略構成図である。
【図９１】本発明の実施形態９１の照明システムの概略構成図である。
【図９２】本発明の実施形態９２の照明システムの概略構成図である。
【図９３】本発明の実施形態９３の照明システムの概略構成図である。
【図９４】本発明の実施形態９４の照明システムの概略構成図である。
【図９５】本発明の実施形態９５の照明システムの概略構成図である。
【図９６】本発明の実施形態９６の照明システムの概略構成図である。
【図９７】本発明の実施形態９７の照明システムの概略構成図である。
【図９８】本発明の実施形態９８の照明システムの概略構成図である。
【図９９】本発明の実施形態９９の照明システムの概略構成図である。
【図１００】本発明の実施形態１００の照明システムの概略構成図である。
【図１０１】本発明の実施形態１０１の照明システムの概略構成図である。
【図１０２】本発明の実施形態１０２の照明システムの概略構成図である。
【図１０３】従来例１の照明システムの概略構成図である。
【図１０４】従来例２の照明システムの概略構成図である。
【図１０５】本発明の実施形態１０３の照明システムの概略構成図である。
【図１０６】本発明の実施形態１０３の照明システムの制御例を示す説明図である。
【図１０７】本発明の実施形態１０３の照明システムの一変形例の概略構成図である。
【図１０８】本発明の実施形態１０４の照明システムの概略構成図である。
【図１０９】本発明の実施形態１０５の照明システムの概略構成図である。
【図１１０】本発明の実施形態１０５の照明システムの動作説明のためのフローチャートである。
【図１１１】本発明の実施形態１０５の照明システムの一変形例の概略構成図である。
【図１１２】本発明の実施形態１０５の照明システムの他の変形例の概略構成図である。
【図１１３】本発明の実施形態１０５の照明システムの別の変形例の概略構成図である。
【図１１４】本発明の実施例１の照明システムの概略構成図である。
【図１１５】本発明の実施例１の照明システムに用いるコントローラの操作面の一例を示す説明図である。
【図１１６】本発明の実施例１の照明システムに用いる伝送信号フォーマットを示す説明図である。
【図１１７】本発明の実施例２の照明システムの概略構成図である。
【図１１８】本発明の実施例３の照明システムの概略構成図である。
【図１１９】本発明の実施例４の照明システムの概略構成図である。
【図１２０】本発明の実施例５の照明システムの概略構成図である。
【図１２１】本発明の実施例６の照明システムの概略構成図である。
【図１２２】本発明の実施例７の照明システムに用いるコントローラの操作面の一例を示す説明図である。
【図１２３】本発明の実施例８の照明システムの概略構成図である。
【図１２４】本発明の実施例９の照明システムに用いるコントローラの操作面の一例を示す説明図である。
【図１２５】本発明の実施例９の照明システムの概略構成図である。
【符号の説明】
１      照明器具
２      照明器具
５      コントローラ
１０    ランプ
１１    負荷制御部
１２    点灯制御部
１３    信号送受信部
２０    ランプ
２１    負荷制御部
２２    点灯制御部
２３    信号送受信部
５１    信号送受信部
５２    操作部
【図１】
0003918460.tif 000003
【図２】
0003918460.tif 000004
【図３】
0003918460.tif 000005
【図４】
0003918460.tif 000006
【図５】
0003918460.tif 000007
【図６】
0003918460.tif 000008
【図７】
0003918460.tif 000009
【図８】
0003918460.tif 000010
【図９】
0003918460.tif 000011
【図１０】
0003918460.tif 000012
【図１１】
0003918460.tif 000013
【図１２】
0003918460.tif 000014
【図１３】
0003918460.tif 000015
【図１４】
0003918460.tif 000016
【図１５】
0003918460.tif 000017
【図１６】
0003918460.tif 000018
【図１７】
0003918460.tif 000019
【図１８】
0003918460.tif 000020
【図１９】
0003918460.tif 000021
【図２０】
0003918460.tif 000022
【図２１】
0003918460.tif 000023
【図２２】
0003918460.tif 000024
【図２３】
0003918460.tif 000025
【図２４】
0003918460.tif 000026
【図２５】
0003918460.tif 000027
【図２６】
0003918460.tif 000028
【図２７】
0003918460.tif 000029
【図２８】
0003918460.tif 000030
【図２９】
0003918460.tif 000031
【図３０】
0003918460.tif 000032
【図３１】
0003918460.tif 000033
【図３２】
0003918460.tif 000034
【図３３】
0003918460.tif 000035
【図３４】
0003918460.tif 000036
【図３５】
0003918460.tif 000037
【図３６】
0003918460.tif 000038
【図３７】
0003918460.tif 000039
【図３８】
0003918460.tif 000040
【図３９】
0003918460.tif 000041
【図４０】
0003918460.tif 000042
【図４１】
0003918460.tif 000043
【図４２】
0003918460.tif 000044
【図４３】
0003918460.tif 000045
【図４４】
0003918460.tif 000046
【図４５】
0003918460.tif 000047
【図４６】
0003918460.tif 000048
【図４７】
0003918460.tif 000049
【図４８】
0003918460.tif 000050
【図４９】
0003918460.tif 000051
【図５０】
0003918460.tif 000052
【図５１】
0003918460.tif 000053
【図５２】
0003918460.tif 000054
【図５３】
0003918460.tif 000055
【図５４】
0003918460.tif 000056
【図５５】
0003918460.tif 000057
【図５６】
0003918460.tif 000058
【図５７】
0003918460.tif 000059
【図５８】
0003918460.tif 000060
【図５９】
0003918460.tif 000061
【図６０】
0003918460.tif 000062
【図６１】
0003918460.tif 000063
【図６２】
0003918460.tif 000064
【図６３】
0003918460.tif 000065
【図６４】
0003918460.tif 000066
【図６５】
0003918460.tif 000067
【図６６】
0003918460.tif 000068
【図６７】
0003918460.tif 000069
【図６８】
0003918460.tif 000070
【図６９】
0003918460.tif 000071
【図７０】
0003918460.tif 000072
【図７１】
0003918460.tif 000073
【図７２】
0003918460.tif 000074
【図７３】
0003918460.tif 000075
【図７４】
0003918460.tif 000076
【図７５】
0003918460.tif 000077
【図７６】
0003918460.tif 000078
【図７７】
0003918460.tif 000079
【図７８】
0003918460.tif 000080
【図７９】
0003918460.tif 000081
【図８０】
0003918460.tif 000082
【図８１】
0003918460.tif 000083
【図８２】
0003918460.tif 000084
【図８３】
0003918460.tif 000085
【図８４】
0003918460.tif 000086
【図８５】
0003918460.tif 000087
【図８６】
0003918460.tif 000088
【図８７】
0003918460.tif 000089
【図８８】
0003918460.tif 000090
【図８９】
0003918460.tif 000091
【図９０】
0003918460.tif 000092
【図９１】
0003918460.tif 000093
【図９２】
0003918460.tif 000094
【図９３】
0003918460.tif 000095
【図９４】
0003918460.tif 000096
【図９５】
0003918460.tif 000097
【図９６】
0003918460.tif 000098
【図９７】
0003918460.tif 000099
【図９８】
0003918460.tif 000100
【図９９】
0003918460.tif 000101
【図１００】
0003918460.tif 000102
【図１０１】
0003918460.tif 000103
【図１０２】
0003918460.tif 000104
【図１０３】
0003918460.tif 000105
【図１０４】
0003918460.tif 000106
【図１０５】
0003918460.tif 000107
【図１０６】
0003918460.tif 000108
【図１０７】
0003918460.tif 000109
【図１０８】
0003918460.tif 000110
【図１０９】
0003918460.tif 000111
【図１１０】
0003918460.tif 000112
【図１１１】
0003918460.tif 000113
【図１１２】
0003918460.tif 000114
【図１１３】
0003918460.tif 000115
【図１１４】
0003918460.tif 000116
【図１１５】
0003918460.tif 000117
【図１１６】
0003918460.tif 000118
【図１１７】
0003918460.tif 000119
【図１１８】
0003918460.tif 000120
【図１１９】
0003918460.tif 000121
【図１２０】
0003918460.tif 000122
【図１２１】
0003918460.tif 000123
【図１２２】
0003918460.tif 000124
【図１２３】
0003918460.tif 000125
【図１２４】
0003918460.tif 000126
【図１２５】
0003918460.tif 000127